(57)【要約】      （修正有）【課題】ＳＤＭＡ（空間分割多元接続）において、空間ストリームのチャネル状態情報の、要求と収集、および計算を効率的に行う方法を提供する。【解決手段】ステップ４０２で、ピアノードのバックホール接続をサポートするように構成されているアクセスポイントから、スケジュールされたトレーニング要求（ＴＲＱ）メッセージがブロードキャストされ、ステップ４０４で、各応答局からのトレーニング信号を受信し、ステップ４０６において、各トレーニング信号からＣＳＩ（チャネル状態表示）を計算し、各ＣＳＩを結合し、各応答局の空間ストリームを規定するプレコーディング行列を計算する。ステップ４０８において、いずれかの応答局からのＴＲＱメッセージを受信し、ステップ４１０において、このメッセージに応答して、トレーニングメッセージを送信し、ステップ４１２において、計算したプレコーディング行列により、データを送信する。【選択図】図４
2014212544.tif 000002
【特許請求の範囲】
【請求項１】
複数のノードと通信する装置において、
空間ストリームを規定するプレコーディング行列を計算するように構成されている処理システムと、
前記空間ストリーム上で前記ノードに対してデータを送信するように構成されているトランシーバとを具備する装置。
【請求項２】
前記処理システムは、前記ノードからのトレーニングを要求し、これに応答した前記ノードからのトレーニング応答を受信するようにさらに構成されており、
前記処理システムは、前記トレーニング応答から、前記プレコーディング行列を計算するようにさらに構成されている、請求項１記載の装置。
【請求項３】
前記処理システムは、前記ノードによって同一の周波数帯域内で同時に送信されている、前記トレーニング応答を受信するようにさらに構成されている、請求項２記載の装置。
【請求項４】
前記処理システムは、前記ノードのそれぞれに、そのトレーニング応答中で、特定の署名を使用するように要求することによって、前記トレーニングを要求するようにさらに構成されている、請求項２記載の装置。
【請求項５】
前記処理システムは、前記トレーニング応答から、前記ノードのそれぞれに対する、チャネル状態情報行列を計算し、前記計算されたチャネル状態情報行列を使用して、前記プレコーディング行列を計算するようにさらに構成されている、請求項２記載の装置。
【請求項６】
前記トレーニング応答のそれぞれは、そのトレーニング応答を送信している前記ノードに対するチャネル状態情報行列を含む、請求項２記載の装置。
【請求項７】
前記処理システムは、前記トレーニング応答中の前記チャネル状態情報行列を使用して、前記プレコーディング行列を計算するようにさらに構成されている、請求項６記載の装置。
【請求項８】
前記処理システムは、前記トランシーバによって、前記ノードに対して送信するためのトレーニング要求メッセージを発生させることによって、前記トレーニングを要求するようにさらに構成されており、
前記トレーニング要求メッセージは、前記ノードの、それらのトレーニング応答を送信するためのスケジュールを含む、請求項２記載の装置。
【請求項９】
前記ノードは、それらのトレーニング応答を同時に送信する、請求項２記載の装置。
【請求項１０】
前記処理システムは、拡散コードまたはスクランブリングコードでカバーされている、前記トレーニング応答を受信するようにさらに構成されている、請求項９記載の装置。
【請求項１１】
前記処理システムは、異なる時間において、前記トレーニング応答を受信するようにさらに構成されている、請求項２記載の装置。
【請求項１２】
前記処理システムは、前記プレコーディング行列を使用して、前記トランシーバによって、前記ノードに対して送信された前記データをプレコードするようにさらに構成されている、請求項１記載の装置。
【請求項１３】
複数のアンテナをさらに具備し、
前記アンテナのそれぞれは、前記トランシーバのための前記空間ストリームのうちの１つをサポートして、前記ノードに対してデータを送信する、請求項１記載の装置。
【請求項１４】
前記処理システムは、前記トレーニング応答のための拡散コードまたはスクランブリングコードに関連する情報を、前記ノードに対して提供することによって、前記トレーニングを要求するようにさらに構成されている、請求項２記載の装置。
【請求項１５】
前記情報は、前記拡散コードまたは前記スクランブリングコードを含む、請求項１４記載の装置。
【請求項１６】
前記情報は、前記拡散コードまたは前記スクランブリングコードを計算するために十分な情報を提供する、請求項１４記載の装置。
【請求項１７】
複数のノードと通信する方法において、
空間ストリームを規定するプレコーディング行列を計算することと、
トランシーバによって、前記空間ストリーム上で前記ノードに対してデータを送信することとを含む方法。
【請求項１８】
前記ノードからのトレーニングを要求し、これに応答した前記ノードからのトレーニング応答を受信することをさらに含み、
前記プレコーディング行列は、前記トレーニング応答から計算される、請求項１７記載の方法。
【請求項１９】
前記トレーニング応答は、同一の周波数帯域内で同時に受信される、請求項１８記載の方法。
【請求項２０】
前記ノードのそれぞれに、そのトレーニング応答中で、特定の署名を使用するように要求することによって、前記ノードからの前記トレーニングが要求される、請求項１８記載の方法。
【請求項２１】
前記トレーニング応答から、前記ノードのそれぞれに対する、チャネル状態情報行列を計算することをさらに含み、
前記プレコーディング行列は、前記計算されたチャネル状態情報行列を使用して計算される、請求項１８記載の方法。
【請求項２２】
前記トレーニング応答のそれぞれは、そのトレーニング応答を送信している前記ノードに対するチャネル状態情報行列を含む、請求項１８記載の方法。
【請求項２３】
前記トレーニング応答中の前記チャネル状態情報行列は、前記プレコーディング行列を計算する際に使用される、請求項２２記載の方法。
【請求項２４】
前記トランシーバによって、前記ノードに対して送信するためのトレーニング要求メッセージを発生させることによって、前記要求が行われ、
前記トレーニング要求メッセージは、前記ノードの、それらのトレーニング応答を送信するためのスケジュールを含む、請求項１８記載の方法。
【請求項２５】
前記ノードは、それらのトレーニング応答を同時に送信する、請求項１８記載の方法。
【請求項２６】
前記トレーニング応答は、拡散コードまたはスクランブリングコードでカバーされて受信される、請求項２５記載の方法。
【請求項２７】
前記トレーニング応答は、異なる時間において受信される、請求項１８記載の方法。
【請求項２８】
前記プレコーディング行列を使用して、前記トランシーバによって、前記ノードに対して送信された前記データをプレコードすることをさらに含む、請求項１７記載の方法。
【請求項２９】
複数のアンテナのそれぞれによって、前記トランシーバのための前記空間ストリームのうちの１つをサポートして、前記ステーションに対してデータを送信することをさらに含む、請求項１７記載の方法。
【請求項３０】
前記トレーニング応答のための拡散コードまたはスクランブリングコードに関連する情報を、前記ノードに対して提供することによって、前記トレーニングを要求することをさらに含む、請求項１８記載の方法。
【請求項３１】
前記情報は、前記拡散コードまたは前記スクランブリングコードを含む、請求項３０記載の方法。
【請求項３２】
前記情報は、前記拡散コードまたは前記スクランブリングコードを計算するために十分な情報を提供する、請求項３０記載の方法。
【請求項３３】
複数のノードと通信する装置において、
空間ストリームを規定するプレコーディング行列を計算する手段と、
トランシーバによって、前記空間ストリーム上で前記ノードに対してデータを送信する手段とを具備する装置。
【請求項３４】
前記ノードからのトレーニングを要求する手段と、
これに応答した前記ノードからのトレーニング応答を受信する手段とをさらに具備し、
前記プレコーディング行列を計算する手段は、前記トレーニング応答から、前記プレコーディング行列を計算するように構成されている、請求項３３記載の装置。
【請求項３５】
前記トレーニング応答を受信する手段は、前記同一の周波数帯域内で同時に、前記トレーニング応答を受信するように構成されている、請求項３４記載の装置。
【請求項３６】
前記ノードからのトレーニングを要求する手段は、前記ノードのそれぞれに、そのトレーニング応答中で、特定の署名を使用するように要求することによって、前記トレーニングを要求するように構成されている、請求項３４記載の装置。
【請求項３７】
前記トレーニング応答から、前記ノードのそれぞれに対する、チャネル状態情報行列を計算する手段をさらに具備し、
前記プレコーディング行列を計算する手段は、前記計算されたチャネル状態情報行列を使用して、前記プレコーディング行列を計算するように構成されている、請求項３４記載の装置。
【請求項３８】
前記トレーニング応答のそれぞれは、そのトレーニング応答を送信している前記ノードに対するチャネル状態情報行列を含む、請求項３４記載の装置。
【請求項３９】
前記プレコーディング行列を計算する手段は、前記トレーニング応答中の前記チャネル状態情報行列を使用して、前記プレコーディング行列を計算するように構成されている、請求項３８記載の装置。
【請求項４０】
前記要求手段は、前記トランシーバによって、前記ノードに対して送信するためのトレーニング要求メッセージを発生させることによって、要求するように構成されており、
前記トレーニング要求メッセージは、前記ノードの、それらのトレーニング応答を送信するためのスケジュールを含む、請求項３４記載の装置。
【請求項４１】
前記ノードは、それらのトレーニング応答を同時に送信する、請求項３４記載の装置。
【請求項４２】
前記受信手段は、拡散コードまたはスクランブリングコードでカバーされている、前記トレーニング応答を受信するように構成されている、請求項４１記載の装置。
【請求項４３】
前記受信手段は、異なる時間において、前記トレーニング応答を受信するように構成されている、請求項３４記載の装置。
【請求項４４】
前記プレコーディング行列を使用して、前記トランシーバによって、前記ノードに対して送信された前記データをプレコードする手段をさらに具備する、請求項３３記載の装置。
【請求項４５】
複数のアンテナのそれぞれによって、前記トランシーバのための前記空間ストリームのうちの１つをサポートして、前記ステーションに対してデータを送信する手段をさらに具備する、請求項３３記載の装置。
【請求項４６】
前記トレーニング応答のための拡散コードまたはスクランブリングコードに関連する情報を、前記ノードに対して提供することによって、前記トレーニングを要求する手段をさらに具備する、請求項３４記載の装置。
【請求項４７】
前記情報は、前記拡散コードまたは前記スクランブリングコードを含む、請求項４６記載の装置。
【請求項４８】
前記情報は、前記拡散コードまたは前記スクランブリングコードを計算するために十分な情報を提供する、請求項４６記載の装置。
【請求項４９】
実行可能命令とともにエンコードされている機械読取可能媒体を備える、通信のためのコンピュータプログラム製品において、
前記実行可能命令は、
空間ストリームを規定するプレコーディング行列を計算するための命令と、
前記空間ストリーム上で前記ノードに対してデータを送信するための命令とである、コンピュータプログラム製品。
【請求項５０】
アクセスポイントにおいて、
ネットワークに対する、ピアノードのバックホール接続をサポートするように構成されているワイヤレスネットワークアダプタと、
空間ストリームを規定するプレコーディング行列を計算するように構成されている処理システムと、
前記空間ストリーム上で前記ノードに対してデータを送信するように構成されているトランシーバとを具備するアクセスポイント。
【発明の詳細な説明】
【米国法第３５部第１１９条に基づく優先権の主張】
【０００１】
本出願は、２００８年８月２０日に出願され、“ＳＤＭＡベースのワイヤレス通信システム中で、空間チャネルを決定するための方法と装置”と題されている米国仮出願シリアル番号第６１／０９０，５０１号と、２００８年５月２１日に出願され、“ＳＤＭＡベースのワイヤレス通信システム中で、空間チャネルを決定するための方法と装置”と題されている米国仮出願シリアル番号第６１／０５５，０１２号とに対する優先権を主張し、これらは、本出願譲受人に譲渡され、ここで参照により組み込まれている。
【分野】
【０００２】
以下の説明は、一般的に通信システムに関連し、より詳細には、空間分割多元接続（ＳＤＭＡ）ベースのワイヤレス通信システム中で、空間チャネルを決定するための方法と装置に関連する。
【背景】
【０００３】
ワイヤレス通信システムに対して必要とされる、増加しつつある帯域幅要求の問題に対処するために、高データスループットを達成しつつ、チャネルリソースを共有することによって、複数のユーザ端末が、単一のアクセスポイントと通信できるようにするための異なるスキームが開発されている。複数入力、複数出力（ＭＩＭＯ）技術は、次世代通信システムに対する一般的な技術として、最近台頭しつつある、１つのこのようなアプローチを表す。ＭＩＭＯ技術は、米国電気電子学会（ＩＥＥＥ）８０２．１１標準規格のような、いくつかの新興のワイヤレス通信標準規格に適合してきた。ＩＥＥＥ８０２．１１は、ＩＥＥＥ８０２．１１委員会によって、短距離通信（例えば、十メートルから数百メートル）のために開発された、１組のワイヤレスローカルエリアネットワーク（ＷＬＡＮ）無線インターフェース（無線リンク媒体）を示す。
【０００４】
ワイヤレス通信システムにおいて、媒体アクセス制御（ＭＡＣ）プロトコルは、無線リンク媒体によってもたらされる、いくつかの自由度を活用するように設計されている。最も共通して活用される自由度は、時間および周波数である。例えば、ＩＥＥＥ８０２．１１  ＭＡＣプロトコルにおいて、時間の自由度が、搬送波感知多元接続（ＣＳＭＡ）プロトコルを通して活用される。ＣＳＭＡプロトコルは、潜在的に高干渉な近隣において、確実に、わずか１つの送信だけが発生するように試みる。周波数の自由度は、異なるチャネルを使用することによって、活用することができる。
【０００５】
近年の開発は、空間的次元を、実現性のあるオプションに導いてきた。ＳＤＭＡは、同時の送信および受信に対して、複数の端末をスケジュールすることによって、無線リンク媒体の利用を改善するために使用できる。空間ストリームを使用して、それぞれの端末に対してデータが送られる。例えば、ＳＤＭＡにおいて、送信機は、個別の受信機に対して直交している送信のストリーム（“送信ストリーム”）を形成する。送信機がいくつかのアンテナと、いくつかのパスからなる送信／受信チャネルとを持っているので、このような直交ストリームを形成できる。受信機はまた、単数入力、複数出力（ＳＩＭＯ）、または、ＭＩＭＯ受信機のような、１つ以上のアンテナも持っていてもよい。この例に対して、送信機は、アクセスポイント（ＡＰ）であり、受信機は、ステーション（ＳＴＡ）であるとして仮定する。ステーション１（ＳＴＡ−１）にターゲット付けされているストリームが、例えば、ステーション２（ＳＴＡ−２）、および、ステーション３（ＳＴＡ−３）において、低電力干渉として観測されるように、ストリームが形成される。直交ストリームを形成するために、ＡＰは、受信ＳＴＡのそれぞれからのチャネル状態情報（ＣＳＩ）を持っている必要がある。ＣＳＩは、いくつかの方法で、測定され、通信されることができる。空間ストリームのチャネル状態情報の、効率的な要求、収集、および、計算を記述する観点を開示する。さまざまな記述される観点は、ワイヤレスネットワークにおける、ベリーハイスループット（ＶＨＴ）送信に対して有用であってもよい。
【０００６】
結果として、上記のような欠陥のうちの１つ以上に対処することが望ましいだろう。
【概要】
【０００７】
さまざまな観点にしたがって、新規な主題は、空間分割多元接続（ＳＤＭＡ）ベースのワイヤレス通信システム中で、空間的チャネルを決定するためのシステムおよび／または方法に関連する。
【０００８】
１つの観点では、複数のノードと通信する装置が開示される。装置は、空間ストリームを規定するプレコーディング行列を計算するように構成されている処理システムと、空間ストリーム上でノードに対してデータを送信するように構成されている送信機とを具備する。
【０００９】
別の観点では、複数のノードと通信する方法は、空間ストリームを規定するプレコーディング行列を計算することと、トランシーバによって、空間ストリーム上でノードに対してデータを送信することとを含む。
【００１０】
また、別の観点では、複数のノードと通信する装置は、空間ストリームを規定するプレコーディング行列を計算する手段と、トランシーバによって、空間ストリーム上でノードに対してデータを送信する手段とを具備する。
【００１１】
また、別の観点では、通信のためのコンピュータプログラム製品は、空間ストリームを規定するプレコーディング行列を計算し、空間ストリーム上でノードに対してデータを送信するための実行可能命令とともにエンコードされている機械読取可能媒体を備える。
【００１２】
さらに、別の観点では、アクセスポイントは、ネットワークに対する、ピアノードのバックホール接続をサポートするように構成されているワイヤレスネットワークアダプタと、空間ストリームを規定するプレコーディング行列を計算するように構成されている処理システムと、空間ストリーム上でノードに対してデータを送信するように構成されているトランシーバとを具備する。
【図面の簡単な説明】
【００１３】
発明の、これらの、および、他の例示的な観点を、以下に続く詳細な説明中で、また、添付の図面において、説明することにする。
【００１４】
一般の習慣にしたがって、図面のうちのいくつかのものは、簡潔さのために単純化されていてもよい。したがって、図面は、所定の装置（例えば、デバイス）または方法のすべてのコンポーネントを図示していないかもしれない。最後に、同じ参照番号は、明細書および図面全体を通して、同じ特徴を示すのに使用されてもよい。  
【図１】図１は、ワイヤレス通信ネットワークの図である。
【図２】図２は、図１のワイヤレス通信ネットワーク中のワイヤレスノードのＰＨＹレイヤのさまざまな信号処理機能の例のブロック図である。
【図３】図３は、図１のワイヤレス通信ネットワークとともに使用可能なステアリング情報作成プロセスを図示するタイミング図である。
【図４】図４は、図１のワイヤレス通信ネットワークのステアリング情報作成の観点の動作のフロー図である。
【図５】図５は、図１のワイヤレス通信ネットワーク中のワイヤレスノードの信号プロセッサの機能的ブロック図である。
【詳細な説明】
【００１５】
添付の図面を参照して、以後で、本発明のさまざまな観点を、より完全に記述する。本発明は、しかしながら、数多くの異なる形態で実現されてもよく、本開示全体を通して提示される何らかの特定の構造または機能に制限されるとして考慮されるべきでない。むしろ、本開示がより徹底的で完全なものとなるように、また、本開示が当業者に対して本発明の範囲をあまねく伝えることになるように、これらの観点を提供する。ここでの教示に基づいて、当業者は、本発明の範囲は、本発明の、他の何らかの観点とは独立して実現される、あるいは、本発明の、他の何らかの観点に組み合わせて実現される、ここで開示する発明の何らかの観点をカバーすることを意図している。例えば、ここで述べる観点のうちの任意の数のものを使用して、装置が実現されてもよく、方法が実行されてもよい。さらに、本発明の範囲は、ここで述べる本発明のさまざまな観点に加えて、または、ここで述べる本発明のさまざまな観点以外の、他の構成、機能、または、構成および機能を使用して、実行されてもよい、このような装置または方法をカバーすることを意図している。ここで開示する本発明の任意の観点は、特許請求の範囲の１つ以上のエレメントによって実現されてもよいことを理解すべきである。
【００１６】
ワイヤレスネットワークのいくつかの観点を、図１を参照して、ここで提示することにする。一般的に、ノード１１０および１２０として呼んだ、いくつかのワイヤレスノードとともに、ワイヤレスネットワーク１００を示した。それぞれのワイヤレスノードは、受信および／または送信できる。以下の詳細な説明では、用語“アクセスポイント”を使用して、送信ノードを指し、用語“アクセス端末”を使用して、ダウンリンク通信に対する受信ノードを指す。他方で、用語“アクセスポイント”を使用して、受信ノードを指し、用語“アクセス端末”を使用して、アップリンク通信に対する送信ノードを指す。しかしながら、当業者は、アクセスポイント、および／または、アクセス端末に対して、他の用語、または、呼び方を使用してもよいことを容易に理解するだろう。例として、アクセスポイントは、基地局、ベーストランシーバ局、ステーション、端末、ノード、アクセスポイントとして動作しているアクセス端末、または、他の何らかの適切な用語として呼ばれてもよい。アクセス端末は、ユーザ端末、移動局、加入者局、ステーション、ワイヤレスデバイス、端末、ノード、または、他の何らかの適切な用語として呼ばれてもよい。本開示の全体にわたって記述したさまざまな概念は、それらの特定の呼び方にもかかわらず、すべての適切なワイヤレスノードに適用されることが意図されている。
【００１７】
ワイヤレスネットワーク１００は、地理的領域全体にわたって分散されている任意の数のアクセスポイントをサポートして、アクセス端末１２０に対するカバレッジを提供してもよい。システム制御装置１３０を使用して、アクセスポイントの調整と制御、とともに、他のネットワーク（例えば、インターネット）に対するアクセスを、アクセス端末１２０に提供してもよい。簡潔さのため、１つのアクセスポイント１１０を示した。アクセスポイントは、一般的に、カバレッジの地理的領域中のアクセス端末に対して、バックホールサービスを提供する固定端末である。しかしながら、いくつかのアプリケーションでは、アクセスポイントは、移動体であってもよい。固定または移動体であってもよい、アクセス端末は、アクセスポイントのバックホールサービスを利用し、あるいは、他のアクセス端末とともにピアツーピア通信に関与する。アクセス端末の例は、電話機（例えば、セルラ電話機）、ラップトップコンピュータ、デスクトップコンピュータ、パーソナルデジタルアシスタント（ＰＤＡ）、デジタルオーディオプレーヤ（例えば、ＭＰ３プレーヤ）、カメラ、ゲームコンソール、または、他の何らかの適切なワイヤレスノードを含む。
【００１８】
ワイヤレスネットワーク１００は、ＭＩＭＯ技術をサポートしてもよい。ＭＩＭＯ技術を使用して、アクセスポイント１１０は、ＳＤＭＡを使用して、複数のアクセス端末１２０と同時に通信してもよい。ＳＤＭＡは、複数のストリームが、同時に異なる受信機に対して送信されるのを可能して、同一の周波数チャネルを共有し、結果として、より高いユーザ容量を提供する、多元接続スキームである。このことは、各データストリームを空間的にコーディングし、次に、ダウンリンク上で異なる送信アンテナを通して、それぞれの空間的にコード化されたストリームを送信することによって、達成される。空間的にコード化されたデータストリームは、異なる空間署名とともに、アクセス端末に到着し、このことは、それぞれのアクセス端末１２０が、そのアクセス端末１２０に向けられたデータストリームを回復させることを可能にする。アップリンク上で、それぞれのアクセス端末１２０は、空間的にコード化されたデータストリームを送信し、このことは、アクセスポイント１１０が、それぞれの空間的にコード化されたデータストリームの源を識別することを可能にする。
【００１９】
１つ以上のアクセス端末１２０は、ある機能を可能にするための複数のアンテナを備えている。この構成とともに、アクセスポイント１１０における複数のアンテナを、複数のアンテナアクセスポイントと通信するのに使用して、追加の帯域幅または送信電力なしで、データスループットを改善してもよい。このことは、送信機において、高データレート信号を、異なる空間署名を有する複数の低レートデータストリームへとスプリットすることによって、達成されてもよく、したがって、受信機が、これらのストリームを複数のチャネルへと分離させて、ストリームを適切に結合させて、高レートデータ信号を回復させることを可能にする。
【００２０】
以下の開示の一部は、ＭＩＭＯ技術もサポートするアクセス端末を記述することになるが、アクセスポイント１１０はまた、ＭＩＭＯ技術をサポートしないアクセス端末をサポートするようにもまた構成されていてもよい。このアプローチは、アクセス端末のより古いバージョン（すなわち、“レガシー”端末）が、ワイヤレスネットワーク中で配備され続けることを可能にしてもよく、それらの使用可能寿命時間を延長させつつ、より新しいＭＩＭＯアクセス端末が、適切に導入されることを可能にしている。
【００２１】
以下の詳細な説明において、さまざまな観点を、直交周波数分割多重（ＯＦＤＭ）のような何らかの適切なワイヤレス技術をサポートしているＭＩＭＯシステムを参照して記述することにする。ＯＦＤＭは、正確な周波数で、間隔を置かれた、多数のサブキャリア上でデータを分配する、拡散スペクトル技術である。間隔を置くことは、受信機が、サブキャリアからデータを回復させることを可能にする“直交性”を提供する。ＯＦＤＭシステムは、ＩＥＥＥ８０２．１１、または、他の何らかの無線インターフェース標準規格を実現してもよい。他の適切なワイヤレス技術は、例として、コード分割多元接続（ＣＤＭＡ）、時分割多元接続（ＴＤＭＡ）、または、他の適切なワイヤレス技術、あるいは、適切なワイヤレス技術の何らかの組み合わせを含んでもよい。ＣＤＭＡシステムは、ＩＳ−２０００、ＩＳ−９５、ＩＳ−８５６、広帯域ＣＤＭＡ（ＷＣＤＭＡ（登録商標））、または、他の何らかの適切な無線インターフェース標準規格とともに実現してもよい。ＴＤＭＡシステムは、移動体通信のためのグローバルシステム（ＧＳＭ（登録商標））、または、他の何らかの無線インターフェース標準規格を実現してもよい。当業者が、容易に理解することになるように、本発明のさまざまな観点は、何らかの特定のワイヤレス技術および／または無線インターフェース標準規格に制限されていない。
【００２２】
アクセスポイントまたはアクセス端末のいずれかである、ワイヤレスノードは、階層化された構造を利用するプロトコルとともに実現されてもよく、階層化された構造は、すべての物理的および電気的仕様を実現して、ワイヤレスノードを、共有されたワイヤレスチャネルに対してインターフェースさせる物理（ＰＨＹ）レイヤと、共有されたワイヤレスチャネルに対するアクセスを調整するＭＡＣレイヤと、例として、スピーチおよびマルチメディアコーデックとグラフィックス処理を含む、さまざまなデータ処理機能を実行するアプリケーションレイヤとを含む。追加的なプロトコルレイヤ（例えば、ネットワークレイヤ、トランスポートレイヤ）は、何らかの特定のアプリケーションに対して要求されてもよい。何らかの構成において、ワイヤレスノードは、アクセスポイントと、アクセス端末との間の、または、２つのアクセス端末間の、中継地点として動作してもよく、したがって、アプリケーションレイヤを要求しなくてもよい。当業者は、特定の応用と、全体のシステムに課される全体の設計制約とに依拠して、何らかのワイヤレスノードに対する適切なプロトコルを容易に実現できるだろう。
【００２３】
ワイヤレスノードが送信モードにあるとき、アプリケーションレイヤは、データを処理し、データをパケットへとセグメント化し、データパケットをＭＡＣレイヤに提供する。ＭＡＣレイヤが、送信することを決定するとき、物理レイヤへとＭＡＣパケットのブロックを提供する。ＰＨＹレイヤは、ＭＡＣパケットのブロックをペイロードへとアセンブルして、プリアンブルを追加することによって、ＰＨＹパケットをアセンブルする。以後、より詳細に説明することになるように、ＰＨＹレイヤはまた、さまざまな信号処理機能（例えば、変調、コーディング、空間処理等）を提供することに対しても責任を持つ。プリアンブルは、物理レイヤコンバージェンスプロトコル（ＰＬＣＰ）としても呼ばれることもあり、受信ノードによって使用されて、ＰＨＹパケットの開始を検出し、送信機のノードデータクロックに同期化する。プリアンブルは、アンテナによって送信されたストリームのステアリングを改善するのを支援するのに使用可能であるトレーニング信号を含む。トレーニング信号はまた、パイロット信号、または、サウンディング信号としても知られている。ＰＨＹパケットは、物理レイヤプロトコルデータユニット（ＰＬＰＤＵ）として呼ばれることもあるが、フレーム、パケット、時間スロット、セグメント、または、他の何らかの適切な呼び方として呼んでもよい。
【００２４】
ワイヤレスノードが受信モードにあるとき、処理は反転される。すなわち、ＰＨＹレイヤは、ワイヤレスチャネルから到来しているＰＨＹパケットを検出する。プリアンブルは、ＰＨＹレイヤが、ＰＨＹパケット上で、ロックインし、さまざまな信号処理機能（例えば、変調、デコーディング、空間処理、等）を実行することを可能にする。一度処理されると、ＰＨＹレイヤは、ＰＨＹパケットのペイロード中で搬送された、ＭＡＣパケットのブロックを回復させ、ＭＡＣレイヤにＭＡＣパケットを提供する。
【００２５】
図２は、ＰＨＹレイヤの信号処理機能の例を図示する概念的ブロック図である。送信モードにおいて、ＴＸデータプロセッサ２０２を使用して、ＭＡＣレイヤからのデータを受信してもよく、受信ノードにおいて、フォワードエラー訂正（ＦＥＣ）を容易にするためにデータをエンコード（例えば、ターボコード）してもよい。エンコーディング処理は、ＴＸデータプロセッサ２０２によって、一緒にブロック化され、信号コンステレーションへとマップされて、変調シンボルのシーケンスを生み出してもよい。
【００２６】
ＯＦＤＭを実現しているワイヤレスノードにおいて、ＴＸデータプロセッサ２０２からの変調シンボルは、ＯＦＤＭ変調器２０４へと提供されてもよい。ＯＦＤＭ変調器は、変調シンボルを、並列ストリームへとスプリットする。各ストリームは、次に、ＯＦＤＭサブキャリアへとマッピングされ、逆高速フーリエ変換（ＩＦＦＴ）を使用して、一緒に結合されて、時間ドメインＯＦＤＭストリームを生み出す。
【００２７】
ＴＸ空間プロセッサ２０５は、ＯＦＤＭストリーム上に空間処理を実行する。このことは、各ＯＦＤＭを空間的にプレコーディングすることと、トランシーバ２０６を介して、各空間的にプレコード化されたストリームを、異なるアンテナ２０８に対して提供することとによって達成されてもよい。各トランシーバ２０６は、ワイヤレスチャネルを通しての送信のために、それぞれのプレコードされたストリームとともに、ＲＦ搬送波を変調する。
【００２８】
受信モードにおいて、各トランシーバ２０６は、そのそれぞれのアンテナ２０８を通して信号を受信する。各トランシーバ２０６を使用して、ＲＦ搬送波へと変調される情報を回復させ、ＲＸ空間プロセッサ２１０に対して情報を提供してもよい。
【００２９】
ＲＸ空間プロセッサ２１０は、情報に空間的処理を実行し、ワイヤレスノード２００に向けられた、何らかの空間的ストリームを回復させる。空間的処理は、チャネル訂正マトリックス反転（ＣＣＭＩ）、最小平均平方誤差（ＭＭＳＥ）、ソフト干渉キャンセレーション（ＳＩＣ）、または、他の何らかの適切な技術にしたがって、実行されてもよい。多元空間ストリームが、ワイヤレスノード２００に対して向けられている場合、それらは、ＲＸ空間プロセッサ２１０によって結合されてもよい。
【００３０】
ＯＦＤＭを実現しているワイヤレスノードにおいて、ＲＸ空間プロセッサ２１０からのストリーム（または、結合されたストリーム）が、ＯＦＤＭ復調器２１２へと提供される。ＯＦＤＭ復調器２１２は、高速フーリエ変換（ＦＦＴ）を使用して、ストリーム（または、結合されたストリーム）を、時間ドメインから周波数ドメインへと変換する。周波数ドメイン信号は、ＯＦＤＭ信号のそれぞれのサブキャリアに対する個別のストリームを含む。ＯＦＤＭ復調器２１２は、各サブキャリア上で搬送されたデータ（すなわち、変調シンボル）を回復させ、データを変調シンボルのストリームへと多重化する。
【００３１】
ＲＸデータプロセッサ２１４を使用して、変調シンボルを、信号コンステレーション中の正しいポイントへと変換し戻してもよい。ワイヤレスチャネル中の雑音と他の妨害のために、変調シンボルは、元の信号コンステレーション中のポイントの正確なロケーションに対応していないかもしれない。ＲＸデータプロセッサ２１４は、受信ポイントと、信号コンステレーション中の有効なシンボルのロケーションとの間の最短距離を見つけることによって、どの変調シンボルが送信された見込みが最も高いかを検出する。ターボコードのケースにおいて、これらのソフト判定を使用して、例えば、所定の変調シンボルに関係付けられているコードシンボルの対数尤度比（ＬＬＲ）を計算してもよい。ＲＸデータプロセッサ２１４は、次に、データをＭＡＣレイヤに対して提供する前に、元々送信されたデータをデコードするために、コードシンボルＬＬＲのシーケンスを使用する。
【００３２】
ワイヤレスノード２００はまた、パケタイザ２２０も含む。送信演算において、データはパケタイザ２２０へと供給される。特に、パケタイザ２２０は、ＭＡＣレイヤからデータを受信して、送信されることになる適切なサイズとフォーマットのパケットを作成するように動作する。
【００３３】
プレコーダ２１８は、プレコーディングマトリックスを利用して、パケタイザ２２０の出力を処理して、その後、これはＴＸデータプロセッサ２０２に対して送られ、これ自体が、ＯＦＤＭ変調器２０４によって処理された後で、ＴＸ空間プロセッサ２０５に対して送られる。プレコーダ２１８は、プレコーディングマトリックスを利用して、パケタイザ２２０からのデータをコード化して、ここで記述するように、空間チャネル状況を補償する。
【００３４】
受信動作において、ＲＸ空間プロセッサ２１０によって受信されたデータは、ＯＦＤＭ復調器２１２によって処理された後で、ＲＸデータプロセッサ２１４に対して送られる。ＲＸ空間プロセッサ２１０によって受信され、処理されたデータは、プレコーディングマトリックス計算機２１６に対して進められる。プレコーディングマトリックス計算機２１６の結果は、プレコーダ２１８に供給される。
【００３５】
図３を参照して、さらに、図４を参照して、タイミング図３００と、フロー図４００とを使用して、ワイヤレスノード２００の動作の観点を記述し、ここで、ワイヤレスノードは、複数の受信機に対するその送信をステアリングするその能力を最適化しているアクセスポイント２である。この例において、アクセスポイント（ＡＰ）ＳＴＡ−Ａ３０２ａから、複数の応答局ＳＴＡ−Ｂ３０２ｂ、ＳＴＡ−Ｃ３０２ｃからＳＴＡ−Ｘ３０２ｘに対して、ＳＤＭＡが利用される。ステアリングを最適化するために、アクセスポイントＳＴＡ−Ａ３０２ａは、応答局ＳＴＡ−Ｂ３０２ｂからＳＴＡ−Ｘ３０２ｘのそれぞれからのチャネル状態情報（ＣＳＩ）を必要とする。
【００３６】
１つのアプローチにおいて、ステップ４０２に図示したように、このようなＣＳＩを取得するために、アクセスポイントＳＴＡ−Ａ  ３０２ａは、応答局ＳＴＡ−Ｂ  ３０２ｂからＳＴＡ−Ｘ  ３０２ｘに対して、トレーニング要求（ＴＲＱ）メッセージ３５０を送る。ＴＲＱメッセージ３５０は、各応答局に対するユニキャストであってもよく、または、図３に示すように、すべてのステーションＳＴＡ−Ｂ  ３０２ｂからＳＴＡ−Ｘ  ３０２ｘに対するブロードキャストであってもよい。ＴＲＱメッセージ３５０は、以下の情報を含んでいてもよい。すなわち、各応答局ＳＴＡ−Ｂ  ３０２ｂからＳＴＡ−Ｘ  ３０２ｘからのトレーニング信号のためのスケジュールされた時間、または、応答局ＳＴＡ−Ｂ
３０２ｂからＳＴＡ−Ｘ  ３０２ｘのそれぞれからの、受信されたトレーニング信号を識別する一意的な識別子もしくは方法である。
【００３７】
トレーニング信号のためのスケジュールされた時間は、暗黙的または明示的であってもよいことに留意すべきである。暗黙的トレーニングスケジュールの例は、ＴＲＱメッセージ３５０を受信した後の、固定された継続期間にトレーニング信号の送信をスケジュールするための、応答局に対するものであるだろう。別の方法は、応答局の連続的な送信の間の固定遅延とともに、時差的な方法で、トレーニング信号を送ることであってもよい。応答局が、トレーニング信号を送ることになる順序は、ＴＲＱメッセージ３５０によって指定されてもよい。アクセスポイント（ＡＰ）ＳＴＡ−Ａ  ３０２ａはまた、単に、応答局がそのトレーニング信号を送らなければならない時間を単に要求してもよい。応答するための時間を示すさまざまな方法が利用できる。例えば、ＴＲＱメッセージ３５０中のビットが、応答局ＳＴＡ−Ｂ  ３０２ｂからＳＴＡ−Ｘ  ３０２ｘが、特定の時間量の後に応答することになる時間を意味することができる。
【００３８】
アクセスポイント（ＡＰ）ＳＴＡ−Ａ  ３０２ａはまた、応答局ＳＴＡ−Ｂ  ３０２ｂからＳＴＡ−Ｘ  ３０２ｘのそれぞれからのトレーニング信号が区別されることができるように、暗黙的または明示的な方法を示さなければならない。１つの方法は、トレーニング信号の到着時間を使用して、応答局を識別することであるだろう。別の方法は、各応答局に対して、応答局の一意的な識別子に基づいていてもよい、もしくは、ＴＲＱメッセージ３５０によって指定されてもよい、一意的なトレーニング信号を使用することであるだろう。アクセスポイントＳＴＡ−Ａ  ３０２ａは、直交周波数分割多元接続（ＯＦＤＭＡ）サブバンド上で、要求を送ることもできる。トレーニング信号のいくつかのタイプは、トレーニング目的のために構成されていてもよい。例えば、１つのアプローチでは、一意的な受信局識別子を使用してスクランブルされた、知られているトレーニングシーケンスが使用されてもよい。別のアプローチは、一意的なウォルシュカバーコードを、それぞれの応答局に対して割り当てることであってもよい。一意的な識別子は、静的に、または、動的に、応答局に対して、割り当てられることができる。さらに、送信されたデータが、受信アクセスポイントＳＴＡ−Ａ  ３０２ａ、または、応答局ＳＴＡ−Ｂ  ３０２ｂからＳＴＡ−Ｘ  ３０２ｘにおいて、受信され、デコードできる場合、応答局ＳＴＡ−Ｂ  ３０２ｂからＳＴＡ−Ｘ  ３０２ｘのうちの１つ、または、アクセスポイントＳＴＡ−Ａ  ３０２ａは、トレーニング要求／信号上で、データ送信をピギーバックしてもよい。
【００３９】
引き続いて図３とともに、ステップ４０４において、ＴＲＱメッセージ３５０がブロードキャストされた後で、受信局ＳＴＡ−Ｂ  ３０２ｂからＳＴＡ−Ｘ  ３０２ｘのそれぞれは、それぞれのトレーニング信号３５２ａから３５２ｘに応答する。応答局ＳＴＡ−Ｂ  ３０２ｂからＳＴＡ−Ｘ  ３０２ｘは、それぞれ、直交コードを割り当てられて、アクセスポイントＳＴＡ−Ａ３０２ａが、それらのそれぞれのトレーニング信号３５２ｂから３５２ｘを、一意的に識別することを可能にするだろう。１つのアプローチでは、ウォルシュカバーコードが使用されることになるだろう。ここで、これらの戻されたトレーニング信号３５２ａから３５２ｘは、これらの予め割り当てられた、または、暗黙的に推論された直交コードを知ることによって、一意的にデコードされることができる。
【００４０】
ステップ４０６において、いったんトレーニング信号３５２ｂから３５２ｘが、アクセスポイントＳＴＡ−Ａ  ３０２ａにおいて受信されると、アクセスポイントＳＴＡ−Ａ  ３０２ａは、トレーニング信号を送った、応答局ＳＴＡ−Ｂ  ３０２ｂからＳＴＡ−Ｘ  ３０２ｘのそれぞれに対するＣＳＩを計算する。応答局ＳＴＡ−Ｂ  ３０２ｂからＳＴＡ−Ｘ  ３０２ｘのそれぞれのＣＳＩは、結合され、プレコーディングマトリックスを計算するのに使用される。プレコーディングマトリックスは、応答局ＳＴＡ−Ｂ  ３０２ｂからＳＴＡ−Ｘ  ３０２ｘのそれぞれに対する空間ストリームを規定する。本開示の１つの観点において、これらの空間ストリームは、ＳＴＡ−Ｂ  ３０２ｂに対する空間ストリーム上で送られたデータが、応答局ＳＴＡ−Ｂ  ３０２ｂにおいて、比較的高信号対雑音比（ＳＮＲ）で受信されてもよいが、他の応答局において、低雑音信号としてのみ出現することになるようなものである。応答局、例えば応答局ＳＴＡ−Ｂ  ３０２ｂが、例えば、ＴＲＱメッセージ３５０の受け取りにおけるエラーのために、トレーニング信号を送らない場合、アクセスポイントＳＴＡ−Ａ  ３０２ａは、ＳＴＡ−Ｂ  ３０２ｂに対して空間的に多重化されたデータを送るのを止めるか、または、以前のトレーニング要求から取得されたＣＳＩを使用するかのいずれかであってもよい。
【００４１】
ステップ４０８において、応答局ＳＴＡ−Ｂ  ３０２ｂからＳＴＡ−Ｘ  ３０２ｘのうちの１つ以上は、アクセスポイントＳＴＡ−Ａ  ３０２ａに対して、ＴＲＱメッセージを送信することになる。いったん、アクセスポイントが、ＴＲＱメッセージを受信すると、動作は、ステップ４１０に継続する。
【００４２】
ステップ４１０において、アクセスポイントＳＴＡ−Ａ  ３０２ａは、ステーションＳＴＡ−Ｂ  ３０２ｂからＳＴＡ−Ｘ  ３０２ｘのうちの１つによって送られたＴＲＱメッセージに応答して、トレーニングメッセージを送ることになる。
【００４３】
ステップ４１２において、いったん、プレコーディングマトリックスが計算されると、アクセスポイントＳＴＡ−Ａ  ３０２ａは、応答局に対してデータを送ってもよい。プレコード化されたデータは、ロングトレーニングフィールド（ＬＴＦ）によって先行され、これは、パイロット、サウンディング、または、トレーニングシーケンスを含んでもよい。それぞれの応答局は、プレコード化された送信による高ＳＮＲにおいて、そのデータを受信してもよい。
【００４４】
いくつかのシナリオにおいて、複数の応答局は、何らかのプレコーディングなしに、アクセスポイントＳＴＡ−Ａ  ３０２ａに対してデータを送信してもよい。アクセスポイントＳＴＡ−Ａ  ３０２ａは、トレーニングフェーズの間に、収集されたＣＳＩを使用することによって、個別の応答局からのデータをデコードできる。
【００４５】
応答局からのトレーニングメッセージを要求するために、アクセスポイントＳＴＡ−Ａ  ３０２ａにおいて、行く床の送信モードが使用されてもよいことに留意すべきである。アクセスポイントＳＴＡ−Ａ  ３０２ａは、時間において時差的（ＴＤＭＡ）にされたＴＲＱメッセージを送ってもよい。ＴＲＱメッセージは、アクセスポイントＳＴＡ−Ａ  ３０２ａから応答局に対するデータ送信上で、ピギーバックされてもよい。さらに、アクセスポイントＳＴＡ−Ａ  ３０２ａはまた、応答局のそれぞれに対するＴＲＱメッセージを送るためにＯＦＤＭＡを使用してもよい。さらに、以前の交換において計算された、プレコーディングマトリックスが依然として有効である場合、以前に計算されたプレコーディングマトリックスとともに、ＳＤＭＡを使用して、ＴＲＱメッセージが送られてもよい。
【００４６】
技術的によく知られている技法のような、プレコーディングマトリックスを演算し、または、計算する、さまざまな方法が使用できる。例えば、ＭＭＳＥ、ゼロフォーシング、または、特異値分解を使用できる。また、プレコーディングマトリクスに対する他の用語は、ステアリングマトリックス、ステアリングベクトル、および、全体のＣＳＩから導出されてもよいステアリングベクトルであってもよい。代わりに、受信機は、コードブックからステアリングベクトルをフィードバックすることによって、ＣＳＩフィードバックを提供してもよい。
【００４７】
ＴＲＱメッセージ３５０は、マルチクライアントＴＲＱメッセージであってもよい。例えば、複数の応答局は、複数の応答局に対して向けられている、集合物理レイヤプロトコルデータユニット（ＡＰＰＤＵ）を使用して要求を送る。このアプローチにおいて、ＴＤＭＡを使用して、トレーニング要求が送られ、単一の時間分割多重化送信中で、複数のステーションに対して、フレームが送られる。
【００４８】
別のアプローチにおいて、送信局は、ＳＤＭＡを使用して、ＯＦＤＭＡを使用している複数の応答局に対して、トレーニング要求を送る。応答局は、それらのトレーニング信号とともに応答できる。このようにすることによって、アクセスポイントＳＴＡ−Ａ  ３０２ａは、ダウンリンクＳＤＭＡ送信のためのプレコーディングマトリックスを計算する。トレーニング情報を受信した後で、送信局は、計算されたプレコーディングマトリックスとともに、データを送信する。応答局に対して、これを使用して、ＳＤＭＡを使用してアップリンクデータを送信することになる。
【００４９】
ＳＤＭＡを使用して動作することに加えて、ＴＲＱメッセージ３５０はまた、ＯＦＤＭＡ技術も使用して送信されてもよい。さらに、さまざまな応答局からのトレーニング情報が、ＯＦＤＭＡを使用して送り返される。この技術は、ＳＴＡ−Ａ  ３０２ａのようなアクセスポイントがサポートすることができるものよりも多くの空間ストリームをトレーニングするために有用であるかもしれない。このようにすることによって、アクセスポイントＳＴＡ−Ａ  ３０２ａは、最適化されたスケジューリングのためのそのオプションを最大化することになる。
【００５０】
図５は、図１のワイヤレス通信ネットワーク中のワイヤレスノードの信号プロセッサ５００の機能ブロック図である。信号プロセッサ５００は、空間ストリームを規定するプレコーディングマトリクスを計算する、計算機モジュール５０２を含む。信号プロセッサ５００はまた、空間ストリーム上で、ノードに対してトランシーバによって、データを送信する送信モジュール５０４も含む。
【００５１】
ワイヤレスノードの文脈で説明したステップの何らかの特定の順序または階レイヤは、ワイヤレスノードの例を提供するために提示されていることが理解される。設計のプリファレンスに基づいて、ステップの何らかの特定の順序または階層は、本発明の範囲を逸脱することなく、再配置されてもよいことが理解される。
【００５２】
ワイヤレスノードのさまざまな部分は、汎用プロセッサ、デジタル信号プロセッサ（ＤＳＰ）、特定用途向け集積回路（ＡＳＩＣ）、フィールドプログラム可能ゲートアレイ（ＦＰＧＡ）、プログラム可能論理回路（ＰＬＤ）、または、他のプログラム可能論理デバイス、ディスクリートゲートまたはトランジスタロジック、ディスクリートハードウェア構成部品、あるいは、ここで説明する機能を実現するように設計されているこれらの任意の組み合わせとともに、実現、または、実行してもよい。汎用プロセッサは、マイクロプロセッサ、制御装置、マイクロ制御装置、状態機械、または、ソフトウェアを実行できる、他の何らかの回路であってもよい。ソフトウェア、ファームウェア、ミドルウェア、マイクロコード、ハードウェア記述言語、または、これ以外で呼ばれるかどうかにかかわらず、ソフトウェアは、命令、データ、または、これらの任意の組み合わせを意味するとして広く考慮されるべきである。ソフトウェアは、機械読取可能媒体上に記憶されてもよく、または、ＤＳＰまたはＡＳＩＣのような１つ以上のコンポーネント中に組み込まれてもよい。機械読取可能媒体は、例として、ＲＡＭ（ランダムアクセスメモリ）、フラッシュメモリ、ＲＯＭ（読出専用メモリ）、ＰＲＯＭ（プログラム可能読出専用メモリ）、ＥＰＲＯＭ（消去可能プログラム可能読出専用メモリ）、ＥＥＰＲＯＭ（電気的消去可能プログラム可能読出専用メモリ）、レジスタ、磁気ディスク、光学ディスク、ハードドライブ、または、他の何らかの適切な記憶媒体、あるいは、これらの何らかの組み合わせを含んでもよい。機械読取可能媒体はまた、ワイヤレスノードに対して、ソフトウェアを提供するために、データ、および／または、他の手段による、変調された搬送波、送信ラインを含んでもよい。機械読取可能媒体は、コンピュータプログラム製品中で実現されてもよい。コンピュータプログラム製品は、パッケージング素材も含んでもよい。
【００５３】
プレコーディングのさまざまな観点がハードウェアとして、またはソフトウェアとして実現されるかどうかは、特定の応用と、全体のシステムに課される設計制約とに依拠する。当業者はそれぞれの特定の応用に対して異なる方法で、説明した機能を実現してもよいが、このような実現決定は、本開示の範囲から逸脱するものとして解釈すべきでない。
【００５４】
これまでの説明は、ここで説明したさまざまな実施形態を当業者が利用可能にするために提供した。これらの実施形態に対するさまざまな変更は、当業者にとって容易に明らかになり、ここで規定された包括的原則は、他の実施形態に適用し得ることが理解されるだろう。したがって、特許請求の範囲は、ここに示した実施形態に制限されることを意図しているものではなく、ここに開示した特許請求の範囲の文言と矛盾しない最も広い範囲にしたがうことを意図している。要素への単数での参照は、明示的に単数であると述べられていない限り、“１および１のみ”を意味することを意図しているのではなく、むしろ“１つ以上の”を意味することを意図している。当業者によって知られ、もしくは後に知られることとなる、本開示を通して説明したさまざまな実施形態のすべての構造的および機能的な均等物は、ここで参照により明示的に組み込まれ、本特許請求の範囲に含まれることとを意図している。さらに、この開示中のどの要素も、その開示が特許請求の範囲中に明示的に列挙されているか否かにかかわらず、公共に捧げられることを意図していない。ここに述べられたどの請求項の要素も、要素が“ミーンズフォー”という句を用いて明示的に列挙されない限り、もしくは方法の請求項のケースでは要素が“ステップフォー”という句を用いて明示的に列挙されない限り、３５Ｕ．Ｓ．Ｃ．１１２条第６パラグラフの条文のもとで解釈されるべきではない。
【図１】
2014212544.tif 000003
【図２】
2014212544.tif 000004
【図３】
2014212544.tif 000005
【図４】
2014212544.tif 000006
【図５】
2014212544.tif 000007
【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
複数のノードと通信する装置において、
空間ストリームを規定するプレコーディング行列を計算するように構成されている処理システムと、
前記空間ストリーム上で前記ノードに対してデータを送信するように構成されているトランシーバとを具備する装置。
【手続補正２】
【補正対象書類名】明細書
【補正対象項目名】００５４
【補正方法】変更
【補正の内容】
【００５４】
これまでの説明は、ここで説明したさまざまな実施形態を当業者が利用可能にするために提供した。これらの実施形態に対するさまざまな変更は、当業者にとって容易に明らかになり、ここで規定された包括的原則は、他の実施形態に適用し得ることが理解されるだろう。したがって、特許請求の範囲は、ここに示した実施形態に制限されることを意図しているものではなく、ここに開示した特許請求の範囲の文言と矛盾しない最も広い範囲にしたがうことを意図している。要素への単数での参照は、明示的に単数であると述べられていない限り、“１および１のみ”を意味することを意図しているのではなく、むしろ“１つ以上の”を意味することを意図している。当業者によって知られ、もしくは後に知られることとなる、本開示を通して説明したさまざまな実施形態のすべての構造的および機能的な均等物は、ここで参照により明示的に組み込まれ、本特許請求の範囲に含まれることとを意図している。さらに、この開示中のどの要素も、その開示が特許請求の範囲中に明示的に列挙されているか否かにかかわらず、公共に捧げられることを意図していない。ここに述べられたどの請求項の要素も、要素が“ミーンズフォー”という句を用いて明示的に列挙されない限り、もしくは方法の請求項のケースでは要素が“ステップフォー”という句を用いて明示的に列挙されない限り、３５Ｕ．Ｓ．Ｃ．１１２条第６パラグラフの条文のもとで解釈されるべきではない。  
以下に、本願出願の当初の特許請求の範囲に記載された発明を付記する。
［１］複数のノードと通信する装置において、
空間ストリームを規定するプレコーディング行列を計算するように構成されている処理システムと、
前記空間ストリーム上で前記ノードに対してデータを送信するように構成されているトランシーバとを具備する装置。
［２］前記処理システムは、前記ノードからのトレーニングを要求し、これに応答した前記ノードからのトレーニング応答を受信するようにさらに構成されており、
前記処理システムは、前記トレーニング応答から、前記プレコーディング行列を計算するようにさらに構成されている、上記［１］の装置。
［３］前記処理システムは、前記ノードによって同一の周波数帯域内で同時に送信されている、前記トレーニング応答を受信するようにさらに構成されている、上記［２］の装置。
［４］前記処理システムは、前記ノードのそれぞれに、そのトレーニング応答中で、特定の署名を使用するように要求することによって、前記トレーニングを要求するようにさらに構成されている、上記［２］の装置。
［５］前記処理システムは、前記トレーニング応答から、前記ノードのそれぞれに対する、チャネル状態情報行列を計算し、前記計算されたチャネル状態情報行列を使用して、前記プレコーディング行列を計算するようにさらに構成されている、上記［２］の装置。
［６］前記トレーニング応答のそれぞれは、そのトレーニング応答を送信している前記ノードに対するチャネル状態情報行列を含む、上記［２］の装置。
［７］前記処理システムは、前記トレーニング応答中の前記チャネル状態情報行列を使用して、前記プレコーディング行列を計算するようにさらに構成されている、上記［６］の装置。
［８］前記処理システムは、前記トランシーバによって、前記ノードに対して送信するためのトレーニング要求メッセージを発生させることによって、前記トレーニングを要求するようにさらに構成されており、
前記トレーニング要求メッセージは、前記ノードの、それらのトレーニング応答を送信するためのスケジュールを含む、上記［２］の装置。
［９］前記ノードは、それらのトレーニング応答を同時に送信する、上記［２］の装置。
［１０］前記処理システムは、拡散コードまたはスクランブリングコードでカバーされている、前記トレーニング応答を受信するようにさらに構成されている、上記［９］の装置。
［１１］前記処理システムは、異なる時間において、前記トレーニング応答を受信するようにさらに構成されている、上記［２］の装置。
［１２］前記処理システムは、前記プレコーディング行列を使用して、前記トランシーバによって、前記ノードに対して送信された前記データをプレコードするようにさらに構成されている、上記［１］の装置。
［１３］複数のアンテナをさらに具備し、
前記アンテナのそれぞれは、前記トランシーバのための前記空間ストリームのうちの１つをサポートして、前記ノードに対してデータを送信する、上記［１］の装置。
［１４］前記処理システムは、前記トレーニング応答のための拡散コードまたはスクランブリングコードに関連する情報を、前記ノードに対して提供することによって、前記トレーニングを要求するようにさらに構成されている、上記［２］の装置。
［１５］前記情報は、前記拡散コードまたは前記スクランブリングコードを含む、上記［１４］の装置。
［１６］前記情報は、前記拡散コードまたは前記スクランブリングコードを計算するために十分な情報を提供する、上記［１４］の装置。
［１７］複数のノードと通信する方法において、
空間ストリームを規定するプレコーディング行列を計算することと、
トランシーバによって、前記空間ストリーム上で前記ノードに対してデータを送信することとを含む方法。
［１８］前記ノードからのトレーニングを要求し、これに応答した前記ノードからのトレーニング応答を受信することをさらに含み、
前記プレコーディング行列は、前記トレーニング応答から計算される、上記［１７］の方法。
［１９］前記トレーニング応答は、同一の周波数帯域内で同時に受信される、上記［１８］の方法。
［２０］前記ノードのそれぞれに、そのトレーニング応答中で、特定の署名を使用するように要求することによって、前記ノードからの前記トレーニングが要求される、上記［１８］の方法。
［２１］前記トレーニング応答から、前記ノードのそれぞれに対する、チャネル状態情報行列を計算することをさらに含み、
前記プレコーディング行列は、前記計算されたチャネル状態情報行列を使用して計算される、上記［１８］の方法。
［２２］前記トレーニング応答のそれぞれは、そのトレーニング応答を送信している前記ノードに対するチャネル状態情報行列を含む、上記［１８］の方法。
［２３］前記トレーニング応答中の前記チャネル状態情報行列は、前記プレコーディング行列を計算する際に使用される、上記［２２］の方法。
［２４］前記トランシーバによって、前記ノードに対して送信するためのトレーニング要求メッセージを発生させることによって、前記要求が行われ、
前記トレーニング要求メッセージは、前記ノードの、それらのトレーニング応答を送信するためのスケジュールを含む、上記［１８］の方法。
［２５］前記ノードは、それらのトレーニング応答を同時に送信する、上記［１８］の方法。
［２６］前記トレーニング応答は、拡散コードまたはスクランブリングコードでカバーされて受信される、上記［２５］の方法。
［２７］前記トレーニング応答は、異なる時間において受信される、上記［１８］の方法。
［２８］前記プレコーディング行列を使用して、前記トランシーバによって、前記ノードに対して送信された前記データをプレコードすることをさらに含む、上記［１７］の方法。
［２９］複数のアンテナのそれぞれによって、前記トランシーバのための前記空間ストリームのうちの１つをサポートして、前記ステーションに対してデータを送信することをさらに含む、上記［１７］の方法。
［３０］前記トレーニング応答のための拡散コードまたはスクランブリングコードに関連する情報を、前記ノードに対して提供することによって、前記トレーニングを要求することをさらに含む、上記［１８］の方法。
［３１］前記情報は、前記拡散コードまたは前記スクランブリングコードを含む、上記［３０］の方法。
［３２］前記情報は、前記拡散コードまたは前記スクランブリングコードを計算するために十分な情報を提供する、上記［３０］の方法。
［３３］複数のノードと通信する装置において、
空間ストリームを規定するプレコーディング行列を計算する手段と、
トランシーバによって、前記空間ストリーム上で前記ノードに対してデータを送信する手段とを具備する装置。
［３４］前記ノードからのトレーニングを要求する手段と、
これに応答した前記ノードからのトレーニング応答を受信する手段とをさらに具備し、
前記プレコーディング行列を計算する手段は、前記トレーニング応答から、前記プレコーディング行列を計算するように構成されている、上記［３３］の装置。
［３５］前記トレーニング応答を受信する手段は、前記同一の周波数帯域内で同時に、前記トレーニング応答を受信するように構成されている、上記［３４］の装置。
［３６］前記ノードからのトレーニングを要求する手段は、前記ノードのそれぞれに、そのトレーニング応答中で、特定の署名を使用するように要求することによって、前記トレーニングを要求するように構成されている、上記［３３］の装置。
［３７］前記トレーニング応答から、前記ノードのそれぞれに対する、チャネル状態情報行列を計算する手段をさらに具備し、
前記プレコーディング行列を計算する手段は、前記計算されたチャネル状態情報行列を使用して、前記プレコーディング行列を計算するように構成されている、上記［３４］の装置。
［３８］前記トレーニング応答のそれぞれは、そのトレーニング応答を送信している前記ノードに対するチャネル状態情報行列を含む、上記［３４］の装置。
［３９］前記プレコーディング行列を計算する手段は、前記トレーニング応答中の前記チャネル状態情報行列を使用して、前記プレコーディング行列を計算するように構成されている、上記［３８］の装置。
［４０］前記要求手段は、前記トランシーバによって、前記ノードに対して送信するためのトレーニング要求メッセージを発生させることによって、要求するように構成されており、
前記トレーニング要求メッセージは、前記ノードの、それらのトレーニング応答を送信するためのスケジュールを含む、上記［３４］の装置。
［４１］前記ノードは、それらのトレーニング応答を同時に送信する、上記［３４］の装置。
［４２］前記受信手段は、拡散コードまたはスクランブリングコードでカバーされている、前記トレーニング応答を受信するように構成されている、上記［４１］の装置。
［４３］前記受信手段は、異なる時間において、前記トレーニング応答を受信するように構成されている、上記［３４］の装置。
［４４］前記プレコーディング行列を使用して、前記トランシーバによって、前記ノードに対して送信された前記データをプレコードする手段をさらに具備する、上記［３３］の装置。
［４５］複数のアンテナのそれぞれによって、前記トランシーバのための前記空間ストリームのうちの１つをサポートして、前記ステーションに対してデータを送信する手段をさらに具備する、上記［３３］の装置。
［４６］前記トレーニング応答のための拡散コードまたはスクランブリングコードに関連する情報を、前記ノードに対して提供することによって、前記トレーニングを要求する手段をさらに具備する、上記［３４］の装置。
［４７］前記情報は、前記拡散コードまたは前記スクランブリングコードを含む、上記［４６］の装置。
［４８］前記情報は、前記拡散コードまたは前記スクランブリングコードを計算するために十分な情報を提供する、上記［４６］の装置。
［４９］実行可能命令とともにエンコードされている機械読取可能媒体を備える、通信のためのコンピュータプログラム製品において、
前記実行可能命令は、
空間ストリームを規定するプレコーディング行列を計算するための命令と、
前記空間ストリーム上で前記ノードに対してデータを送信するための命令とである、コンピュータプログラム製品。
［５０］アクセスポイントにおいて、
ネットワークに対する、ピアノードのバックホール接続をサポートするように構成されているワイヤレスネットワークアダプタと、
空間ストリームを規定するプレコーディング行列を計算するように構成されている処理システムと、
前記空間ストリーム上で前記ノードに対してデータを送信するように構成されているトランシーバとを具備するアクセスポイント。
【外国語明細書】
2014212544000001.pdf